(57)【要約】【課題】アンテナや回路配線によってコンデンサを形成した非接触情報媒体において、静電容量の調整が容易で、その調整作業であるトリミングを効率的に実施することが可能な非接触情報記録媒体を提供することを課題とする。【解決手段】熱可塑性樹脂シート上の所定の位置に配置されたＩＣモジュール１の電極に、絶縁性皮膜を被覆した導線をコイル状に成形したアンテナ６と、そのアンテナに並列に絶縁性皮膜を被覆した導線からなるコンデンサが接続されてなるアンテナシート１０において、ＩＣモジュールの電極に接続されたアンテナとコンデンサは、熱可塑性樹脂シートに一部を圧入されており、コンデンサは、絶縁性皮膜を被覆した導線からなる静電容量の調整が可能なコンデンサであることを特徴とするアンテナシート。【選択図】図１
2017091152.tif 000002
【特許請求の範囲】
【請求項１】
熱可塑性樹脂シート上の所定の位置に配置されたＩＣモジュールの電極に、絶縁性皮膜を被覆した導線をコイル状に成形したアンテナと、そのアンテナに絶縁性皮膜を被覆した導線からなるコンデンサが接続されてなるアンテナシートにおいて、
ＩＣモジュールの電極に接続されたアンテナとコンデンサは、熱可塑性樹脂シートに一部を圧入されており、
コンデンサは、絶縁性皮膜を被覆した導線からなる静電容量の調整が可能なコンデンサであることを特徴とするアンテナシート。
【請求項２】
前記静電容量の調整が可能なコンデンサが、ジグザグ状に繰り返し折り返すことで、延伸する方向とは交差する方向に等間隔の複数の平行な線を含む一連なりのパターンからなる導線と、前記一連なりのパターンの上側か下側に、そのパターンと交差して形成された絶縁性皮膜を被覆した導線からなることを特徴とする請求項１に記載のアンテナシート。
【請求項３】
請求項１または２に記載のアンテナシートを使用して作製した非接触情報記録媒体であって、前記アンテナシートの前記ＩＣモジュールが配置された面に熱可塑性樹脂シートを積層してなることを特徴とする非接触情報記録媒体。
【請求項４】
請求項１または２に記載のアンテナシートを使用して作製した非接触情報記録媒体であって、前記アンテナシートの前記ＩＣモジュールが配置された面に、紙または布またはこれらを組合せた材料を接着してなることを特徴とする非接触情報記録媒体。
【請求項５】
請求項３に記載の非接触情報記録媒体の製造方法であって、
前記熱可塑性樹脂シート上に前記ＩＣモジュールを配置する工程と、
前記ＩＣモジュールと前記アンテナと前記コンデンサを前記熱可塑性樹脂シートに熱圧入してアンテナシートを作製する工程と、
前記ＩＣモジュールに前記アンテナと前記コンデンサを接続する工程と、
前記アンテナシートのＩＣモジュールが配置されている面に、熱可塑性樹脂シートを積層した後、熱プレスしてアンテナシートと熱可塑性樹脂シートを熱融着する工程と、
ジグザグ状に繰り返し折り返すことで、延伸する方向とは交差する方向に等間隔の複数の平行な線を含む一連なりのパターンからなる導線の折り返し部を破断することにより、静電容量を調整する工程、とを備えていることを特徴とする非接触情報記録媒体の製造方法。
【請求項６】
請求項４に記載の非接触情報記録媒体の製造方法であって、
前記熱可塑性樹脂シート上に前記ＩＣモジュールを配置する工程と、
前記ＩＣモジュールと前記アンテナと前記コンデンサを前記熱可塑性樹脂シートに熱圧入してアンテナシートを作製する工程と、
前記ＩＣモジュールに前記アンテナと前記コンデンサを接続する工程と、
前記アンテナシートのＩＣモジュールが配置されている面に、紙または布またはそれらを組合せた材料を、接着剤を使用してアンテナシートと接着する工程と、
ジグザグ状に繰り返し折り返すことで、延伸する方向とは交差する方向に等間隔の複数の平行な線を含む一連なりのパターンからなる導線の折り返し部を破断することにより、静電容量を調整する工程と、を備えていることを特徴とする非接触情報記録媒体の製造方法。
【発明の詳細な説明】
【技術分野】
【０００１】
本発明は、非接触で情報通信が可能な非接触情報記録媒体に関する。更には、通信特性を調整可能な非接触情報記録媒体とそれに使用されるアンテナシートおよび非接触情報記録媒体の製造方法に関する。
【背景技術】
【０００２】
通信距離が１０ｃｍ程度に限定された近距離無線通信技術の国際標準規格であるＮＦＣ（Ｎｅａｒ  Ｆｉｅｌｄ  Ｃｏｍｍｕｎｉｃａｔｉｏｎ）の浸透により、非接触ＩＣカードに代表される非接触情報記録媒体が多用されるようになっている。
非接触情報記録媒体は、情報を書き込んだり、記録されている情報を読み取るための外部通信装置であるリーダ／ライタとの情報のやり取りを行うためのアンテナと、それに接続された情報処理機能と通信機能を有するＩＣチップを備えている。
【０００３】
リーダ／ライタのアンテナは、様々なサイズ、形状を持つものが使用されており、非接触情報記録媒体との通信に関する問題が生じた場合、非接触情報記録媒体側で問題解決をすることが多いため、非接触情報記録媒体には許容範囲の狭い通信規格が設定されることとなり、その設計開発の大きな課題となっている。
【０００４】
非接触情報記録媒体の設計開発を行うにあたって、使用するＩＣチップの特性のバラツキやアンテナを形成するための材料特性のバラツキがあり、正常に通信を可能とするためには、作製する非接触情報記録媒体ごとに通信特性の微調整（トリミング）による同調が必要となる。
【０００５】
非接触情報記録媒体の構成要素としては、ＩＣチップとアンテナの他に、コンデンサが必要となる。これはアンテナが受信した周波数の信号を最大にするための同調回路の構成要素として不可欠の要素である。具体的には、アンテナのインダクタンスとコンデンサの静電容量とで決まる共振周波数を信号の周波数に合わせることで、信号を最大にする。そのため、適合する静電容量を持った個別素子であるコンデンサを使用していたが、非接触ＩＣカードの様な薄い非接触情報記録媒体では、厚くなり過ぎる問題があった。
【０００６】
その問題を解決する技術として、例えば特許文献１〜３には、コンデンサを、個別素子を用いずに、アンテナや回路配線などの導線のみによって形成する技術が開示されている。これらの技術は特別な工程を必要とせず、材料費も安いといったメリットがある反面、導線同士を等間隔で隣接させることが困難なため、静電容量などの特性バラツキが大きくなり、安定しない問題がある。
【０００７】
また、特許文献４には、導線のみによってコンデンサを形成する方法として、導電層に絶縁皮膜付き導線を埋め込んでコンデンサを形成する技術が開示されている。この技術は巻き線アンテナの作製工程の負担が少なく、静電容量などの特性バラツキも小さいメリットがある反面、導電層として、導線と同程度の厚さが必要となり、非接触情報媒体の外観を損ねる問題がある。また、絶縁皮膜付き導線を導電層に埋め込む技術的な難しさがあり、埋め込んだ導線が剥れるなどの問題がある。
【０００８】
また、これらの技術ではコンデンサの静電容量を細かく調整することが困難であるため、非接触情報記録媒体のトリミングが難しい、という問題があった。
【先行技術文献】
【特許文献】
【０００９】
【特許文献１】特許第４６１５６９５号公報
【特許文献２】特許第３６１１７９３号公報
【特許文献３】特開２０１４−２２９２０４号公報
【特許文献４】特許第３９７９１７８号公報
【発明の概要】
【発明が解決しようとする課題】
【００１０】
上記の問題点に鑑み、本発明は、アンテナや回路配線によってコンデンサを形成した非接触情報媒体において、静電容量の調整が容易で、その調整作業であるトリミングを効率的に実施することが可能な非接触情報記録媒体を提供することを課題とする。
【課題を解決するための手段】
【００１１】
上記の課題を解決する手段として、本発明の請求項１に記載の発明は、熱可塑性樹脂シート上の所定の位置に配置されたＩＣモジュールの電極に、絶縁性皮膜を被覆した導線をコイル状に成形したアンテナと、そのアンテナに並列に絶縁性皮膜を被覆した導線からなるコンデンサが接続されてなるアンテナシートにおいて、
ＩＣモジュールの電極に接続されたアンテナとコンデンサは、熱可塑性樹脂シートに一部を圧入されており、
コンデンサは、絶縁性皮膜を被覆した導線からなる静電容量の調整が可能なコンデンサであることを特徴とするアンテナシートである。
【００１２】
また請求項２に記載の発明は、前記静電容量の調整が可能なコンデンサが、ジグザグ状に繰り返し折り返すことで、延伸する方向とは交差する方向に等間隔の複数の平行な線を含む一連なりのパターンからなる導線と、前記一連なりのパターンの上側か下側に、そのパターンと交差して形成された絶縁性皮膜を被覆した導線からなることを特徴とする請求項１に記載のアンテナシートである。
【００１３】
また請求項３に記載の発明は、請求項１または２に記載のアンテナシートを使用して作製した非接触情報記録媒体であって、前記アンテナシートの前記ＩＣモジュールが配置された面に熱可塑性樹脂シートを積層してなることを特徴とする非接触情報記録媒体である。
【００１４】
また請求項４に記載の発明は、請求項１または２に記載のアンテナシートを使用して作製した非接触情報記録媒体であって、前記アンテナシートの前記ＩＣモジュールが配置された面に、紙または布またはこれらを組合せた材料を接着してなることを特徴とする非接触情報記録媒体である。
【００１５】
また請求項５に記載の発明は、請求項３に記載の非接触情報記録媒体の製造方法であって、
前記熱可塑性樹脂シート上に前記ＩＣモジュールを配置する工程と、
前記ＩＣモジュールと前記アンテナと前記コンデンサを前記熱可塑性樹脂シートに熱圧入してアンテナシートを作製する工程と、
前記ＩＣモジュールに前記アンテナと前記コンデンサを接続する工程と、
前記アンテナシートのＩＣモジュールが配置されている面に、熱可塑性樹脂シートを積層した後、熱プレスしてアンテナシートと熱可塑性樹脂シートを熱融着する工程と、
ジグザグ状に繰り返し折り返すことで、延伸する方向とは交差する方向に等間隔の複数の平行な線を含む一連なりのパターンからなる導線の折り返し部を破断することにより、静電容量を調整する工程、とを備えていることを特徴とする非接触情報記録媒体の製造方
法である。
【００１６】
また請求項６に記載の発明は、請求項４に記載の非接触情報記録媒体の製造方法であって、
前記熱可塑性樹脂シート上に前記ＩＣモジュールを配置する工程と、
前記ＩＣモジュールと前記アンテナと前記コンデンサを前記熱可塑性樹脂シートに熱圧入してアンテナシートを作製する工程と、
前記ＩＣモジュールに前記アンテナと前記コンデンサを接続する工程と、
前記アンテナシートのＩＣモジュールが配置されている面に、紙または布またはそれらを組合せた材料を、接着剤を使用してアンテナシートと接着する工程と、
ジグザグ状に繰り返し折り返すことで、延伸する方向とは交差する方向に等間隔の複数の平行な線を含む一連なりのパターンからなる導線の折り返し部を破断することにより、静電容量を調整する工程と、を備えていることを特徴とする非接触情報記録媒体の製造方法である。
【発明の効果】
【００１７】
本発明のアンテナシートによれば、ジグザグ状に繰り返して折り返すことで、延伸する方向とは直交する方向に等間隔の複数の平行な一連なりのパターンからなる絶縁性皮膜を被覆した導線と、アンテナに接続された前記ＩＣモジュールのもう一方の電極に接続された、前記一連なりのパターンの上側か下側に、そのパターンと交差して形成された絶縁性皮膜を被覆した導線からなるコンデンサ形成部のコンデンサの静電容量を、コンデンサ形成部においてジグザグ状に繰り返し折り返した導線の折り返し部を破断することにより、静電容量の調整が可能な非接触情報記録媒体を提供することができる。また、本発明の非接触情報記録媒体の製造方法によれば、上記と同じ理由により、静電容量を容易に調整が可能な非接触情報記録媒体を提供可能である。
【図面の簡単な説明】
【００１８】
【図１】本発明のアンテナシートの一例を示す説明図であって、（ａ）は上面図、（ｂ）は（ａ）のコンデンサ形成部の拡大図、（ｃ）は（ａ）のコンデンサ形成部の断面図、である。
【図２】本発明のアンテナシートの静電容量の調整能力を測定した一つの事例であって、（ａ）はジグザグ導線と上渡し導線の形成状態を示す上面図、（ｂ）はジグザグ折り返し部にふった１から２１の部位を破断して静電容量の調整（トリミング）を行った時に測定されたコンデンサ形成部の静電容量の値をプロットしたグラフ、である。
【図３】本発明のアンテナシートの静電容量の調整能力を測定した一つの事例であって、（ａ）はジグザグ導線と上渡し導線の形成状態を示す上面図、（ｂ）はジグザグ折り返し部にふった１から２１の部位を破断して静電容量の調整（トリミング）を行った時に測定されたコンデンサ形成部の静電容量の値をプロットしたグラフ、である。
【図４】本発明の穂接触情報記録媒体の構成例を示した断面図であって、（ａ）本発明のアンテナシートの表裏面に樹脂シートを積層した状態、（ｂ）は更に樹脂シートの表面に保護層を形成した状態、を示している。
【図５】本発明のアンテナシートで使用するコンデンサ形成部のジグザグ導線のジグザグ折り返し部の位置を改良した例を示す説明図である。
【発明を実施するための形態】
【００１９】
＜アンテナシート＞
本発明のアンテナシートについて、説明する。
本発明のアンテナシートは、熱可塑性樹脂シート上の所定の位置に配置されたＩＣモジュールの電極に、絶縁性皮膜を被覆した導線をコイル状に成形したアンテナと、そのアンテナに並列に絶縁性皮膜を被覆した導線からなるコンデンサと、が接続されているアンテナシートである。そのＩＣモジュールの電極に接続されたアンテナとコンデンサは、熱可塑性樹脂シートに一部を、熱プレスなどの手段を用いて圧入されている。また、コンデンサは、絶縁性皮膜を被覆した導線からなる静電容量の調整が可能なコンデンサである。
【００２０】
また、静電容量の調整が可能なコンデンサは、ジグザグ状に繰り返し折り返すことで、延伸する方向とは交差する方向に等間隔の複数の平行な線を含む一連なりのパターンからなる導線と、前記一連なりのパターンの上側か下側に、そのパターンと交差して形成された絶縁性皮膜を被覆した導線からなる。
【００２１】
次に、本発明のアンテナシートを、図１を用いて詳細に説明する。
図１（ａ）は、本発明のアンテナシートの一つの実施形態の上面図を示したものである。本発明のアンテナシート１０は、熱可塑性樹脂からなる基材７上の所定の位置にＩＣモジュール１を配置した後、基材７上にアンテナ６とコンデンサ形成部２を、絶縁性皮膜を被覆した導線を用いて形成する。アンテナ６やコンデンサ形成部２は、導線の一部を基材７中に圧入した状態で形成される。アンテナ６やコンデンサ形成部２を基材７中に圧入する手段としては、基材７と導線を、基材７を構成する熱可塑性樹脂の軟化点以上の温度に加熱した状態で導線が圧入される方向に圧力を加える方法やソノトロードと呼ばれる超音波ホーンの先端から導線を出しながら基材上を移動し、所望のパターンを形成する手段を好適に使用することができる。
【００２２】
このようにして、基材７上にアンテナ６とコンデンサ形成部２を形成した後、ＩＣモジュール１の電極に、アンテナ６の端子とコンデンサ形成部２の端子を接続する。接続する手段は半田付けや溶接を好適に使用することができる。
以上のようにして、本発明のアンテナシートを作製することができる。
【００２３】
（コンデンサ形成部）
このようにして作製したアンテナシート１０のコンデンサ形成部２について説明する。
図１（ａ）に示したように、ＩＣモジュール１に対して、コンデンサ形成部２が、アンテナ６と並列接続されている。
コンデンサ形成部２は、図１（ｂ）と図１（ｃ）に示したように、アンテナ６と同様に基材７に一部を圧入された状態のジグザグ導線４と、そのジグザグ導線４を構成する平行に並んだ複数の導線の上側か下側を交差する形、または直交する形で形成された上渡し導線５（図１（ｂ）参照）または下渡し導線（図示せず）と、から構成されている。
【００２４】
ジグザグ導線４とは、ジグザグ状に繰り返し折り返すことで、延伸する方向とは交差する方向に等間隔の複数の平行な線を含む一連なりのパターンからなる導線を指す。
コンデンサ形成部２は、このジグザグ導線４と、そのジグザグ導線４の上側か下側を交差して形成された絶縁性皮膜を被覆した導線と、で形成されるコンデンサを形成する部位である。
【００２５】
このような構成のコンデンサ形成部２の静電容量は、ジグザグ導線４の長さと、例えば上渡し導線５の長さによって決定する。そのため、ジグザグ導線４が折り返す部位（ジグザグ折り返し部３）の破断位置によって、ジグザグ導線４の長さを変えることになるため、静電容量を調整可能となる。また、上渡し導線５のジグザグ導線４と交差または直交する長さによっても静電容量が変わるため、その両者の長さを調整することにより、コンデンサ部２の静電容量を調整することが可能である。なお、ここでは上渡し導線５の場合について説明したが、下渡し導線の場合も同様である。
【００２６】
上渡し導線４や下渡し導線の長さを変更する場合は、ジグザグ導線４を交差または直交する長さが長いため、例えば、交差または直交する本数を１本から２本に変更した場合、
静電容量は大きく変化する。一方、ジグザグ折り返し部３の破断位置を隣り合う位置で変更した場合は、前者の場合と比べ、小刻みな変化となる。そのため、大幅な静電容量の調整には、例えば上渡し導線５の交差または直交する本数を調整することで対応し、微調整には、ジグザグ折り返し部３の破断位置の変更で対処することができる。
【００２７】
＜非接触情報記録媒体＞
次に、本発明のアンテナシート１０を用いた情報記録媒体２０について説明する。
図４（ａ）に例示したように、本発明の情報記録媒体２０は、本発明のアンテナシート１０のジグザグ折り返し部３の所定の位置をパンチまたはレーザー加工などの方法によって穴あけ加工して、その部位の導線を破断する工程を経た後、アンテナシートの表裏面に樹脂シート８を積層する事によって作製することができる。
【００２８】
更に、図４（ｂ）に例示したように、図１（ａ）の樹脂シート８の表面に、傷つき難くするための保護層９を積層する事によって作製することができる。樹脂シート８の代わりに、保護層９だけを積層しても良い。
【実施例】
【００２９】
次に、本発明のアンテナシートの作製に関する実施例について説明する。
＜実施例１＞
本発明のアンテナシートを作製するため、下記の部材を用意した。
（１）絶縁性皮膜を被覆した導線：融着マグネットワイヤ  ２−ＬＯＣＫ
Ｙ１ＣＣＡＷ  直径０．１ｍｍ（東京特殊電線株式会社製）
（２）ベース基材１：特殊ポリエステル系樹脂シート  ＰＧ−ＷＨＩ
厚み０．２０ｍｍ（三菱樹脂株式会社製）
（３）ベース基材２：特殊ポリエステル系樹脂シート  ＰＧ−ＣＨＩ（ＦＧ）
厚み０．１０ｍｍ（三菱樹脂株式会社製）
（４）ＩＣモジュール：Ｍｉｆａｒｅ  ｕｌｔｒａｌｉｇｈｔ  ｃｏｎｔａｃｔｒｅｓｓ  ｃｈｉｐ  ｃａｒｄ  ｍｏｄｕｌｅ、ＭＯＡ４パッケージ（ＮＸＰ  ｓｅｍｉｃｏｎｄｕｃｔｏｒｓ社製）
【００３０】
まず、ベース基材１の所定の位置にＩＣモジュールを配置した。
次に、絶縁性皮膜を被覆した導線を、超音波ソノトロード（Ｓｏｎｏｔｒｏｄｅ）を用いた導線の樹脂シートへの埋め込み装置を使用して、ベース基材１に図１（ｂ）に示したようなアンテナとコンデンサ形成部を含む回路を形成した。即ち、合計２１個のジグザグ折り返し部３を持つジグザグ導線４と、そのジグザグ導線４の導線に直交する方向に形成された上渡し導線５が一往復する形で、２回交差するように形成された。
【００３１】
次に、回路の端子を、ＩＣモジュールの２つの電極に半田づけすることにより電気的に接続した。
このようにして、ベース基材１の上に、ＩＣモジュールが搭載され、且つアンテナとコンデンサ形成部を含む回路が形成され、ＩＣモジュールに接続された状態の物品が作製された。
【００３２】
この物品の上から、ＩＣモジュールと回路をカバーするようにベース基材２をのせ、加熱プレスにてベース基材１とベース基材２を融着させた後、冷却プレスを行うことにより、アンテナシートを５枚作製した。
【００３３】
次に、作製したアンテナを透過光で透かして観察することにより、コンデンサ形成部のジグザグ折り返し部を選択してパンチにより打ち抜いて、その部位で断線させることにより、コンデンサ形成部の静電容量を調整した。
【００３４】
このようにして作製したアンテナシートについて、そのコンデンサ形成部の静電容量の調整能力を測定した。具体的には、図２（ａ）に示したジグザグ折り返し部の１番〜２２番をこの順にパンチにより打ち抜いて、その部位で断線させることにより、コンデンサ形成部の静電容量を調整したアンテナシートを作製し、その静電容量に相当する共振周波数を測定した。その測定結果をプロットしたグラフを図２（ｂ）に示した。測定データを表１に示す。ｆ０（ＭＨｚ）は共振周波数、ＲＬ（Ｒｅｔｕｒｎ  Ｌｏｓｓ）は反射減衰量であり、インピーダンス不整合が原因で起こる信号の反射量をｄＢ（デシベル）で表した値である。なお２２番は、コンデンサ形成部の静電容量を含まない場合である。
【表１】
2017091152.tif 000003
【００３５】
＜実施例２＞
次に実施例２について説明する。
実施例２は、絶縁性皮膜を被覆した導線を、超音波ソノトロード（Ｓｏｎｏｔｒｏｄｅ）を用いた導線の樹脂シートへの埋め込み装置を使用して、ベース基材１に図１（ｂ）に示したようなアンテナとコンデンサ形成部を含む回路と同じ回路を形成した。合計２２個のジグザグ折り返し部３を持つジグザグ導線４と、そのジグザグ導線４の導線に直交する方向に形成された上渡し導線５が二往復する形で、４回交差するように形成された（図３（ａ）参照）以外は、実施例１と同様とした。
【００３６】
このようにして作製したアンテナシートについて、そのコンデンサ形成部の静電容量（共振周波数に相当）の調整能力を測定した。具体的には、図２（ａ）に示したジグザグ折り返し部の１番〜２２番をこの順にパンチにより打ち抜いて、その部位で断線させることにより、コンデンサ形成部の静電容量を調整したアンテナシートを作製し、その静電容量に相当とする共振周波数を測定した。その測定結果をプロットしたグラフを図３（ｂ）に示した。また測定データを表２に示す。
【表２】
2017091152.tif 000004
【００３７】
実施例１と実施例２のコンデンサ形成部は、概ね実施例２のコンデンサ形成部のコンデンサを形成するのに寄与する電極面積は、実施例１のそれと比較して２倍であると考えられるが、表１および表２に示したように、それらの静電容量に相当する共振周波数の測定結果は、それと矛盾しない結果となった。即ち、ジグザグ導線４の導線に直交する方向に形成された上渡し導線５が交差する回数が２回の実施例１の場合は、平均０．０３３ＭＨｚ刻みに共振周波数の調整が可能であり、その調整幅は０．７４ＭＨｚである。一方、交差する回数が４回の実施例２の場合は、平均０．０６４ＭＨｚ刻みに共振周波数の調整が可能であり、その調整幅は１．４２ＭＨｚとなった。従って、ジグザグ導線４の導線に直交する方向に形成された上渡し導線５が交差する回数を増やすと、調整可能な幅が広がると同時に、調整できる分解能は低下することになる。
【００３８】
以上に説明したように、本発明のアンテナシートは、コンデンサ形成部のジグザグ導線４の導線に直交する方向に形成された上渡し導線５がジグザグ導線４と交差する回数と、ジグザグ折り返し部を断線させる箇所を選ぶことにより、コンデンサ形成部の静電容量を調整可能であり、そのことによって、アンテナシートの共振周波数を調整可能である。
また、図５に示したようなジグザグ折り返し部の構成、即ちジグザグ折り返し部の位置を１つおきに隣接する、ジグザグ折り返し部と離れた位置に配置することによって、ジグザグ折り返し部をパンチなどの手段によって断線させる場合に、隣接するジグザグ折り返し部にダメージを発生させる虞が無くすことができる。
【符号の説明】
【００３９】
１・・・ＩＣモジュール
２・・・コンデンサ形成部
３・・・ジグザグ折り返し部
４・・・ジグザグ部導線
５・・・上渡し導線
６・・・アンテナ
７・・・基材
８・・・樹脂シート
９・・・保護層
１０・・・アンテナシート
２０・・・情報記録媒体
【図１】
2017091152.tif 000005
【図２】
2017091152.tif 000006
【図３】
2017091152.tif 000007
【図４】
2017091152.tif 000008
【図５】
2017091152.tif 000009